(57)【要約】【課題】不要輻射の発生を抑制させたピックアップ装置の制御方法ならびにディスク装置およびその制御方法を提供する。【解決手段】メディア１００の信号の読出し若しくはメディア１００への信号の書込みの何れか一方または両方が可能とされたピックアップ装置２の制御方法に関する。メディア１００に画像を記録させるときに、ピックアップ装置２に入力させる画像記録用の信号を調整させて、メディア１００に画像を記録させる。メディア１００に画像を記録させるときに、ピックアップ装置２から出射させる画像記録用の信号を調整させて、メディア１００に画像を記録させる。メディア１００に画像を記録させるときに、ピックアップ装置２の回路体１０を通過する画像記録用信号に幅をもたせて拡散させ、スペクトラム拡散化させる。また、画像記録用の信号を調整可能な制御部２０を備えるディスク装置１を用いて、前記ピックアップ装置２の制御方法を実行させる。【選択図】図１
2009259381.tif 000002
【特許請求の範囲】
【請求項１】
メディアの信号の読出し若しくはメディアへの信号の書込みの何れか一方または両方が可能とされたピックアップ装置の制御方法であって、前記メディアに画像を記録させるときに、ピックアップ装置に入力させる画像記録用の信号を調整させて、前記メディアに前記画像を記録させることを特徴とするピックアップ装置の制御方法。
【請求項２】
メディアの信号の読出し若しくはメディアへの信号の書込みの何れか一方または両方が可能とされたピックアップ装置の制御方法であって、前記メディアに画像を記録させるときに、ピックアップ装置から出射させる画像記録用の信号を調整させて、前記メディアに前記画像を記録させることを特徴とするピックアップ装置の制御方法。
【請求項３】
前記メディアに前記画像を記録させるときに、前記ピックアップ装置の回路体を通過する画像記録用信号に幅をもたせて拡散させることを特徴とする請求項１又は２に記載のピックアップ装置の制御方法。
【請求項４】
前記メディアに前記画像を記録させるときに、前記ピックアップ装置の回路体を通過する画像記録用信号をスペクトラム拡散化させることを特徴とする請求項１〜３の何れか１項に記載のピックアップ装置の制御方法。
【請求項５】
前記メディアに前記画像を記録させるときに、前記ピックアップ装置に入力させる画像記録用信号に幅をもたせて拡散させることを特徴とする請求項１〜４の何れか１項に記載のピックアップ装置の制御方法。
【請求項６】
前記メディアに前記画像を記録させるときに、前記ピックアップ装置に入力させる画像記録用信号をスペクトラム拡散化させることを特徴とする請求項１〜５の何れか１項に記載のピックアップ装置の制御方法。
【請求項７】
前記メディアに前記画像を記録させるときに、前記ピックアップ装置のレーザ駆動回路部に入力させる画像記録用信号に幅をもたせて拡散させることを特徴とする請求項１〜６の何れか１項に記載のピックアップ装置の制御方法。
【請求項８】
前記メディアに前記画像を記録させるときに、前記ピックアップ装置のレーザ駆動回路部に入力させる画像記録用信号をスペクトラム拡散化させることを特徴とする請求項１〜７の何れか１項に記載のピックアップ装置の制御方法。
【請求項９】
前記メディアに前記画像を記録させるときに、前記ピックアップ装置の発光素子に入力させる画像記録用信号に幅をもたせて拡散させることを特徴とする請求項１〜８の何れか１項に記載のピックアップ装置の制御方法。
【請求項１０】
前記メディアに前記画像を記録させるときに、前記ピックアップ装置の発光素子に入力させる画像記録用信号をスペクトラム拡散化させることを特徴とする請求項１〜９の何れか１項に記載のピックアップ装置の制御方法。
【請求項１１】
前記メディアに前記画像を記録させるときに、前記ピックアップ装置から出射させる前記信号の強さを低くさせることを特徴とする請求項１〜１０の何れか１項に記載のピックアップ装置の制御方法。
【請求項１２】
前記メディアに前記画像を記録させるときに、前記ピックアップ装置から出射させる前記信号の強さを低くさせると共に前記信号の出射時間を長くさせることを特徴とする請求
項１〜１０の何れか１項に記載のピックアップ装置の制御方法。
【請求項１３】
前記画像記録用の前記信号を調整可能な制御部を備え、前記制御部にて調整された前記信号が前記制御部から前記ピックアップ装置に送られて、請求項１〜１２の何れか１項に記載のピックアップ装置の制御方法が実行されることを特徴とするディスク装置。
【請求項１４】
前記画像記録用の前記信号を調整可能な制御部を備えるディスク装置を用いて、請求項１〜１２の何れか１項に記載のピックアップ装置の制御方法を実行させることを特徴とするディスク装置の制御方法。
【発明の詳細な説明】
【技術分野】
【０００１】
本発明は、例えば各種光ディスク等の各種メディアに画像等を記録可能なピックアップ装置の制御方法ならびにディスク装置およびその制御方法に関するものである。
【背景技術】
【０００２】
光ピックアップ装置の発光素子いわゆるレーザダイオード（ＬＤ：ｌａｓｅｒ  ｄｉｏｄｅ）から出射されるレーザ光（ＬＡＳＥＲ：ｌｉｇｈｔ  ａｍｐｌｉｆｉｃａｔｉｏｎ
ｂｙ  ｓｔｉｍｕｌａｔｅｄｅｍｉｓｓｉｏｎ  ｏｆ  ｒａｄｉａｔｉｏｎ）によって、光ディスク等のメディア（ｍｅｄｉａ）に記録されたピット（ｐｉｔ）等の信号等が再生される。また、光ピックアップ装置のＬＤから出射されるレーザ光によって、光ディスク等のメディアにピット等の信号等が記録される。光ディスク等のメディアにピット等の信号等が記録されるときに、光ピックアップ装置のＬＤから出射されるレーザ光は、高精度に制御されつつ出射される。光ピックアップ装置は、光ディスク等のメディアを収容可能な光ディスク装置に内装されている。
【０００３】
従来の技術として、例えば、ラベリングデバイスによる作画可能媒体のラベリングを向上させるために、光センサアレイを使用してラベリングデバイスを制御する方法およびシステムというものが開示されている（例えば、特許文献１参照。）。
【０００４】
また、光ピックアップ装置、光ディスク装置に関する従来の技術として、例えば、光ディスクに対して情報記録と文字等とを可視画像として印刷／形成をさせることができると共に、ユーザに対して光ディスクを裏返して再セットさせるといった面倒な作業を要求しない光ディスク記録装置および当該装置のための光ディスクというものが開示されている（例えば、特許文献２参照。）。
【０００５】
近年、光ディスクに、レーベル、絵などを描かせる各種手法が提案されている。例えば、光ピックアップ装置から出射されるレーザ光により、光ディスクに、レーベル、絵などを描かせる手法が注目されている。
【０００６】
ＬＤから出射されるレーザ光が用いられて、光ディスクのレーベル面に絵や文字などの画像が記録されるときには、光ディスク等のメディアにデータ等が記録されるときと異なり、ＬＤから出射されるレーザ光の制御に高い精度は要求されていない。
【０００７】
そのため、光ディスク等のメディアにピット等のデータ等が記録されるときには、例えばＬＳＩの制御部にプログラムされたライトストラテジによる細かい出射パルスのタイミングコントロールは必要とされていない。このため、ＬＤから出射されるレーザ光が用いられて光ディスクのレーベル面に絵や文字などの画像が記録されるときには、制御が容易な連続パルス信号を用いて光ディスクのレーベル面に対する画像記録が行われることが多い。
【０００８】
ＬＳＩ（ｌａｒｇｅ  ｓｃａｌｅ  ｉｎｔｅｇｒａｔｉｏｎ）とは、例えば半導体集積回路（ＩＣ：ｉｎｔｅｇｒａｔｅｄ  ｃｉｒｃｕｉｔ）のうち素子の集積度が１０００個〜１０００００個程度のもの、又は単にＩＣの同義語とされる。また、ライトストラテジ（ｗｒｉｔｅ  ｓｔｒａｔｅｇｙ）とは、例えばディスク（ｄｉｓｃ）に対して記録マークを適正に形成させるための光パルス照射条件とされる。
【０００９】
一般に、ドライブ装置などの光ディスク装置においては、例えばディスク半径方向に略
沿って移動可能な光ピックアップ装置のＬＤをコントロールする基板のＬＳＩは、光ピックアップ装置から離されて装備されている。光ピックアップ装置に装備されたＬＤ等と、光ディスク装置の基板に装備されたＬＳＩとは、ＦＰＣ（ｆｌｅｘｉｂｌｅ  ｐｒｉｎｔｅｄ  ｃｉｒｃｕｉｔ）などのケーブル／回路体により通電可能に接続されている。基板のＬＳＩから送られる信号等に基づいて、光ピックアップ装置のＬＤからレーザ光が精度よくコントロールされつつ出射される。
【先行技術文献】
【特許文献】
【００１０】
【特許文献１】特開２００５−１１６１５４号公報（第１、１１頁、第１−１０図）
【特許文献２】特開２００４−５８４６号公報（第３頁、第１−１９図）
【発明の概要】
【発明が解決しようとする課題】
【００１１】
しかしながら、従来のピックアップ装置の制御方法ならびにディスク装置およびその制御方法にあっては、基板のＬＳＩからＦＰＣを経由して光ピックアップ装置のＬＤに例えば単一周波数であって高周波のレーザ光出射信号が送られるときに、ＦＰＣ等の周囲に不要輻射が生じることがある。不要輻射とは、例えば電子機器などが出す電磁波や不要な電波等を意味する。
【００１２】
例えばディスクの内周部側から外周部側にかけてディスクにデータ、信号が記録されるときに、基板のＬＳＩと光ピックアップ装置のＬＤとを通電可能に繋ぐＦＰＣが撓まされたりのばされたりして、ＦＰＣが例えば引き回される環境下において、ＦＰＣに例えば単一周波数であって高周波のパルス信号が流される構造のものにおいては、不要輻射の点で不利とされている。
【００１３】
本発明は、上記した点に鑑み、不要輻射の発生を抑制させたピックアップ装置の制御方法ならびにディスク装置およびその制御方法を提供することを目的とする。
【課題を解決するための手段】
【００１４】
上記目的を達成するために、本発明の請求項１に係るピックアップ装置の制御方法は、メディアの信号の読出し若しくはメディアへの信号の書込みの何れか一方または両方が可能とされたピックアップ装置の制御方法であって、前記メディアに画像を記録させるときに、ピックアップ装置に入力させる画像記録用の信号を調整させて、前記メディアに前記画像を記録させることを特徴とする。
【００１５】
上記構成により、ピックアップ装置から発せられる不要輻射は、抑制可能となる。メディアに画像を記録させるときに、ピックアップ装置に入力させる画像記録用の信号を調整させてメディアに画像を記録させるので、ピックアップ装置から発せられる不要輻射は、適度に抑制される。
【００１６】
請求項２に係るピックアップ装置の制御方法は、メディアの信号の読出し若しくはメディアへの信号の書込みの何れか一方または両方が可能とされたピックアップ装置の制御方法であって、前記メディアに画像を記録させるときに、ピックアップ装置から出射させる画像記録用の信号を調整させて、前記メディアに前記画像を記録させることを特徴とする。
【００１７】
上記構成により、ピックアップ装置から発せられる不要輻射は、抑制可能となる。メディアに画像を記録させるときに、ピックアップ装置から出射させる画像記録用の信号を調整させてメディアに画像を記録させるので、ピックアップ装置から発せられる不要輻射は
、適度に抑制される。
【００１８】
請求項３に係るピックアップ装置の制御方法は、請求項１又は２に記載のピックアップ装置の制御方法において、前記メディアに前記画像を記録させるときに、前記ピックアップ装置の回路体を通過する画像記録用信号に幅をもたせて拡散させることを特徴とする。
【００１９】
上記構成により、ピックアップ装置から発せられる不要輻射は、低く抑えられる。メディアに画像を記録させるときに、ピックアップ装置の回路体を通過する画像記録用信号に幅をもたせて拡散させるので、ピックアップ装置から発せられる不要輻射は、適度に低く抑制される。
【００２０】
請求項４に係るピックアップ装置の制御方法は、請求項１〜３の何れか１項に記載のピックアップ装置の制御方法において、前記メディアに前記画像を記録させるときに、前記ピックアップ装置の回路体を通過する画像記録用信号をスペクトラム拡散化させることを特徴とする。
【００２１】
上記構成により、ピックアップ装置から発せられる不要輻射は、低く抑えられる。メディアに画像を記録させるときに、ピックアップ装置の回路体を通過する画像記録用信号をスペクトラム拡散化させるので、ピックアップ装置から発せられる不要輻射は、適度に低く抑制される。
【００２２】
請求項５に係るピックアップ装置の制御方法は、請求項１〜４の何れか１項に記載のピックアップ装置の制御方法において、前記メディアに前記画像を記録させるときに、前記ピックアップ装置に入力させる画像記録用信号に幅をもたせて拡散させることを特徴とする。
【００２３】
上記構成により、ピックアップ装置から発せられる不要輻射は、低く抑えられる。メディアに画像を記録させるときに、ピックアップ装置に入力させる画像記録用信号に幅をもたせて拡散させるので、ピックアップ装置から発せられる不要輻射は、適度に低く抑制される。
【００２４】
請求項６に係るピックアップ装置の制御方法は、請求項１〜５の何れか１項に記載のピックアップ装置の制御方法において、前記メディアに前記画像を記録させるときに、前記ピックアップ装置に入力させる画像記録用信号をスペクトラム拡散化させることを特徴とする。
【００２５】
上記構成により、ピックアップ装置から発せられる不要輻射は、低く抑えられる。メディアに画像を記録させるときに、ピックアップ装置に入力させる画像記録用信号をスペクトラム拡散化させるので、ピックアップ装置から発せられる不要輻射は、適度に低く抑制される。
【００２６】
請求項７に係るピックアップ装置の制御方法は、請求項１〜６の何れか１項に記載のピックアップ装置の制御方法において、前記メディアに前記画像を記録させるときに、前記ピックアップ装置のレーザ駆動回路部に入力させる画像記録用信号に幅をもたせて拡散させることを特徴とする。
【００２７】
上記構成により、ピックアップ装置から発せられる不要輻射は、低く抑えられる。メディアに画像を記録させるときに、ピックアップ装置のレーザ駆動回路部に入力させる画像記録用信号に幅をもたせて拡散させるので、ピックアップ装置から発せられる不要輻射は、適度に低く抑制される。
【００２８】
請求項８に係るピックアップ装置の制御方法は、請求項１〜７の何れか１項に記載のピックアップ装置の制御方法において、前記メディアに前記画像を記録させるときに、前記ピックアップ装置のレーザ駆動回路部に入力させる画像記録用信号をスペクトラム拡散化させることを特徴とする。
【００２９】
上記構成により、ピックアップ装置から発せられる不要輻射は、低く抑えられる。メディアに画像を記録させるときに、ピックアップ装置のレーザ駆動回路部に入力させる画像記録用信号をスペクトラム拡散化させるので、ピックアップ装置から発せられる不要輻射は、適度に低く抑制される。
【００３０】
請求項９に係るピックアップ装置の制御方法は、請求項１〜８の何れか１項に記載のピックアップ装置の制御方法において、前記メディアに前記画像を記録させるときに、前記ピックアップ装置の発光素子に入力させる画像記録用信号に幅をもたせて拡散させることを特徴とする。
【００３１】
上記構成により、ピックアップ装置から発せられる不要輻射は、低く抑えられる。メディアに画像を記録させるときに、ピックアップ装置の発光素子に入力させる画像記録用信号に幅をもたせて拡散させるので、ピックアップ装置から発せられる不要輻射は、適度に低く抑制される。
【００３２】
請求項１０に係るピックアップ装置の制御方法は、請求項１〜９の何れか１項に記載のピックアップ装置の制御方法において、前記メディアに前記画像を記録させるときに、前記ピックアップ装置の発光素子に入力させる画像記録用信号をスペクトラム拡散化させることを特徴とする。
【００３３】
上記構成により、ピックアップ装置から発せられる不要輻射は、低く抑えられる。メディアに画像を記録させるときに、ピックアップ装置の発光素子に入力させる画像記録用信号をスペクトラム拡散化させるので、ピックアップ装置から発せられる不要輻射は、適度に低く抑制される。
【００３４】
請求項１１に係るピックアップ装置の制御方法は、請求項１〜１０の何れか１項に記載のピックアップ装置の制御方法において、前記メディアに前記画像を記録させるときに、前記ピックアップ装置から出射させる前記信号の強さを低くさせることを特徴とする。
【００３５】
上記構成により、ピックアップ装置から発せられる不要輻射は、低く抑えられる。メディアに画像を記録させるときに、ピックアップ装置から出射させる信号の強さを低くさせるので、ピックアップ装置から発せられる不要輻射は、適度に低く抑制される。
【００３６】
請求項１２に係るピックアップ装置の制御方法は、請求項１〜１０の何れか１項に記載のピックアップ装置の制御方法において、前記メディアに前記画像を記録させるときに、前記ピックアップ装置から出射させる前記信号の強さを低くさせると共に前記信号の出射時間を長くさせることを特徴とする。
【００３７】
上記構成により、ピックアップ装置から発せられる不要輻射が低く抑えられつつ、メディアに画像が記録される。メディアに画像を記録させるときに、ピックアップ装置から出射させる信号の強さを低くさせると共に、ピックアップ装置から出射させる信号の出射時間を長くさせるので、ピックアップ装置から発せられる不要輻射が適度に低く抑制されると共に、メディアに確実に画像が記録される。
【００３８】
請求項１３に係るディスク装置は、前記画像記録用の前記信号を調整可能な制御部を備え、前記制御部にて調整された前記信号が前記制御部から前記ピックアップ装置に送られて、請求項１〜１２の何れか１項に記載のピックアップ装置の制御方法が実行されることを特徴とする。
【００３９】
上記構成により、ピックアップ装置から発せられる不要輻射を抑制可能なディスク装置の提供が可能となる。メディアに画像が記録されるときに、画像記録用の信号を調整可能な制御部から調整された信号がピックアップ装置に送られてメディアに画像が記録されるので、ディスク装置のピックアップ装置から発せられる不要輻射は、適度に抑制可能となる。
【００４０】
請求項１４に係るディスク装置の制御方法は、前記画像記録用の前記信号を調整可能な制御部を備えるディスク装置を用いて、請求項１〜１２の何れか１項に記載のピックアップ装置の制御方法を実行させることを特徴とする。
【００４１】
上記構成により、ディスク装置のピックアップ装置から発せられる不要輻射は、抑制可能となる。メディアに画像を記録させるときに、画像記録用の信号を調整可能な制御部を備えるディスク装置を用いてメディアに画像を記録させるので、ディスク装置のピックアップ装置から発せられる不要輻射は、適度に抑制可能となる。
【発明の効果】
【００４２】
以上の如く、請求項１に記載の発明によれば、ピックアップ装置から発せられる不要輻射を抑制させることができる。メディアに画像を記録させるときに、ピックアップ装置に入力させる画像記録用の信号を調整させてメディアに画像を記録させるので、ピックアップ装置から発せられる不要輻射を適度に抑制させることができる。
【００４３】
請求項２に記載の発明によれば、ピックアップ装置から発せられる不要輻射を抑制させることができる。メディアに画像を記録させるときに、ピックアップ装置から出射させる画像記録用の信号を調整させてメディアに画像を記録させるので、ピックアップ装置から発せられる不要輻射を適度に抑制させることができる。
【００４４】
請求項３に記載の発明によれば、ピックアップ装置から発せられる不要輻射を低く抑えることができる。メディアに画像を記録させるときに、ピックアップ装置の回路体を通過する画像記録用信号に幅をもたせて拡散させるので、ピックアップ装置から発せられる不要輻射を適度に低く抑制させることができる。
【００４５】
請求項４に記載の発明によれば、ピックアップ装置から発せられる不要輻射を低く抑えることができる。メディアに画像を記録させるときに、ピックアップ装置の回路体を通過する画像記録用信号をスペクトラム拡散化させるので、ピックアップ装置から発せられる不要輻射を適度に低く抑制させることができる。
【００４６】
請求項５に記載の発明によれば、ピックアップ装置から発せられる不要輻射を低く抑えることができる。メディアに画像を記録させるときに、ピックアップ装置に入力させる画像記録用信号に幅をもたせて拡散させるので、ピックアップ装置から発せられる不要輻射を適度に低く抑制させることができる。
【００４７】
請求項６に記載の発明によれば、ピックアップ装置から発せられる不要輻射を低く抑えることができる。メディアに画像を記録させるときに、ピックアップ装置に入力させる画像記録用信号をスペクトラム拡散化させるので、ピックアップ装置から発せられる不要輻射を適度に低く抑制させることができる。
【００４８】
請求項７に記載の発明によれば、ピックアップ装置から発せられる不要輻射を低く抑えることができる。メディアに画像を記録させるときに、ピックアップ装置のレーザ駆動回路部に入力させる画像記録用信号に幅をもたせて拡散させるので、ピックアップ装置から発せられる不要輻射を適度に低く抑制させることができる。
【００４９】
請求項８に記載の発明によれば、ピックアップ装置から発せられる不要輻射を低く抑えることができる。メディアに画像を記録させるときに、ピックアップ装置のレーザ駆動回路部に入力させる画像記録用信号をスペクトラム拡散化させるので、ピックアップ装置から発せられる不要輻射を適度に低く抑制させることができる。
【００５０】
請求項９に記載の発明によれば、ピックアップ装置から発せられる不要輻射を低く抑えることができる。メディアに画像を記録させるときに、ピックアップ装置の発光素子に入力させる画像記録用信号に幅をもたせて拡散させるので、ピックアップ装置から発せられる不要輻射を適度に低く抑制させることができる。
【００５１】
請求項１０に記載の発明によれば、ピックアップ装置から発せられる不要輻射を低く抑えることができる。メディアに画像を記録させるときに、ピックアップ装置の発光素子に入力させる画像記録用信号をスペクトラム拡散化させるので、ピックアップ装置から発せられる不要輻射を適度に低く抑制させることができる。
【００５２】
請求項１１に記載の発明によれば、ピックアップ装置から発せられる不要輻射を低く抑えることができる。メディアに画像を記録させるときに、ピックアップ装置から出射させる信号の強さを低くさせるので、ピックアップ装置から発せられる不要輻射を適度に低く抑制させることができる。
【００５３】
請求項１２に記載の発明によれば、ピックアップ装置から発せられる不要輻射を低く抑えつつ、メディアに画像を記録させることができる。メディアに画像を記録させるときに、ピックアップ装置から出射させる信号の強さを低くさせると共に、ピックアップ装置から出射させる信号の出射時間を長くさせるので、ピックアップ装置から発せられる不要輻射を適度に低く抑制させることができると共に、メディアに確実に画像を記録させることができる。
【００５４】
請求項１３に記載の発明によれば、ピックアップ装置から発せられる不要輻射を抑制可能なディスク装置を提供することができる。メディアに画像が記録されるときに、画像記録用の信号を調整可能な制御部から調整された信号がピックアップ装置に送られてメディアに画像が記録されるので、ディスク装置のピックアップ装置から発せられる不要輻射を適度に抑制させることが可能となる。
【００５５】
請求項１４に記載の発明によれば、ディスク装置のピックアップ装置から発せられる不要輻射を抑制させることができる。メディアに画像を記録させるときに、画像記録用の信号を調整可能な制御部を備えるディスク装置を用いてメディアに画像を記録させるので、ディスク装置のピックアップ装置から発せられる不要輻射を適度に抑制させることが可能となる。
【図面の簡単な説明】
【００５６】
【図１】本発明に係るピックアップ装置の制御方法ならびにディスク装置およびその制御方法の一実施形態を示すブロック図である。
【図２】メディアに通常のデータ記録が行われるときのストラテジに基づく信号の記録パルスを示す波形図である。
【図３】メディアに画像記録が行われるときのストラテジに基づく信号の記録パルスを示す波形図である。
【図４】（Ａ）はメディアに通常のデータ記録が行われるときの信号の周波数スペクトラムを示す波形図、（Ｂ）はメディアに画像記録が行われるときの信号の周波数スペクトラムを示す波形図である。
【図５】ピックアップ装置を示す平面図である。
【発明を実施するための形態】
【００５７】
以下に本発明に係るピックアップ装置の制御方法ならびにディスク装置およびその制御方法の一実施形態を図面に基づいて詳細に説明する。
【００５８】
図１は、本発明に係るピックアップ装置の制御方法ならびにディスク装置およびその制御方法の一実施形態を示すブロック図、図２は、メディアに通常のデータ記録が行われるときのストラテジに基づく信号の記録パルスを示す波形図、図３は、メディアに画像記録が行われるときのストラテジに基づく信号の記録パルスを示す波形図、図４（Ａ）は、メディアに通常のデータ記録が行われるときの信号の周波数スペクトラムを示す波形図、図４（Ｂ）は、メディアに画像記録が行われるときの信号の周波数スペクトラムを示す波形図、図５は、ピックアップ装置を示す平面図である。
【００５９】
図１は、便宜上示された制御ブロック図とされている。また、図２および図３の縦軸方向は、例えば信号の出力値とされ、図２および図３の横軸方向は、例えば時間とされる。また、図４（Ａ）および図４（Ｂ）の縦軸方向は、例えば信号のＥＭＩ（ｅｌｅｃｔｒｏ
ｍａｇｎｅｔｉｃ  ｉｎｔｅｒｆｅｒｅｎｃｅ）レベル値とされ、図４（Ａ）および図４（Ｂ）の横軸方向は、例えば信号の周波数とされる。図２〜図４は、信号等を説明するために描かれた便宜上の概略図とされる。また、図５は、便宜上示されたピックアップ装置の概略図とされている。
【００６０】
スペクトラムとは、例えば情報（送信データ）を運ぶキャリア（搬送波）を周波数軸から見た場合の波形を意味する。また、「ＥＭＩ」とは、例えば各素子のスイッチング動作などにより発生する電磁障害、電磁干渉等を意味する。
【００６１】
例えばＣＤ（商標）／ＤＶＤ（登録商標）／次世代ディスク用ドライブ装置とされるディスク装置１（図１）にディスク（ｄｉｓｃ）１００が装備されると、ディスク装置１のピックアップ装置２がディスク１００の各種基本情報などを読み取り始める。
【００６２】
光ピックアップ装置２は、各種光ディスク１００等の各種メディア１００に記録されたデータ、情報、信号等を再生させたり、書込み可能もしくは書換え可能な各種光ディスク１００等の各種メディア１００にデータ、情報、信号、画像等を記録させたりするものとされている。光ディスク１００等のメディア１００にピット（ｐｉｔ）等の信号や画像等が記録されるときに、光ピックアップ装置２の発光素子４から出射されるレーザ光は、高精度に制御されつつ出射される。光ピックアップ装置２は、光ディスク１００等のメディア１００を収容可能な光ディスク装置１に内装されている。
【００６３】
光ピックアップ装置２およびそれを備えるディスク装置１は、例えば、「ＣＤ」（Ｃｏｍｐａｃｔ  Ｄｉｓｃ）（商標）系列のメディア、「ＤＶＤ」（登録商標）（Ｄｉｇｉｔａｌ  Ｖｅｒｓａｔｉｌｅ  Ｄｉｓｃ）系列のメディア、「ＨＤ  ＤＶＤ」（Ｈｉｇｈ  Ｄｅｆｉｎｉｔｉｏｎ  ＤＶＤ）（登録商標）系列のメディア、中国において定められた規格に基づくメディアとされる「ＣＢＨＤ（Ｃｈｉｎａ  Ｂｌｕｅ  Ｈｉｇｈ−Ｄｅｆｉｎｉｔｉｏｎ）」（例：旧名「ＣＨ−ＤＶＤ」）系列のメディア、及び「Ｂｌｕ−ｒａｙ
Ｄｉｓｃ」（登録商標）系列のメディアからなる群から選ばれるメディアのうち少なく
とも一種のメディアに対応する。具体的に説明すると、光ピックアップ装置２およびそれを備えるディスク装置１は、上記複数の何れかのメディア１００に対応する。光ピックアップ（ｏｐｔｉｃａｌ  ｐｉｃｋｕｐ）または光ピックアップ装置（ｏｐｔｉｃａｌ  ｐｉｃｋｕｐ  ｕｎｉｔ）は、例えば「ＯＰＵ」と略称される。また、メディア（ｍｅｄｉａ）とは、例えば、データ、情報、信号などが保存されるディスク等を意味する。
【００６４】
ディスクとして上記各種光ディスクが挙げられる。また、ディスクとして、例えばディスク両面に信号面が設けられ、データ書込み／消去やデータ書換え等が可能とされた光ディスク１００等も挙げられる。また、ディスクとして、例えば二層の信号面が設けられ、データ書込み／消去やデータ書換え等が可能とされた光ディスク１００等も挙げられる。また、例えば三層の信号面が設けられ、データ書込み／消去やデータ書換え等が可能とされた「ＨＤ  ＤＶＤ」用光ディスク（図示せず）等も挙げられる。また、例えば四層の信号面が設けられ、データ書込み／消去やデータ書換え等が可能とされた「Ｂｌｕ−ｒａｙ
Ｄｉｓｃ」用光ディスク（図示せず）等も挙げられる。また、例えば光ディスク１００のレーベル面部１２０の側にもレーザ光を照射させてレーベル等の各種書込み等を行うことが可能とされた光ディスク１００等も挙げられる。光ディスク１００の信号面部１１０、レーベル面部１２０は、例えば金属薄膜などの薄層等を備えて構成されている。金属薄膜などを備えて構成される信号面部１１０に、データ、情報、信号などが記録され、レーベル面部１２０に、画像などが記録される。
【００６５】
画像を形成可能な光ディスク１００の構造の一例について説明すると、画像を形成可能な光ディスク１００は、例えば、保護層１５０、変色層、反射層が積層されて構成されている。光ディスク１００のレーベル面部１２０は、例えば変色層を備えて構成されている。光ディスク１００の変色層は、レーザ光の光強度または熱によって、色相、明度、彩度などの色、反射率、透過率、光錯乱等の可視特性が変化する感光材料または感熱材料を備えて構成されている。感光材料または感熱材料として、例えば、透明から有色等に変化する感光材料または感熱材料が用いられている。
【００６６】
このＯＰＵ２は、各種光ディスク１００等の各種メディア１００に対してレーザ光を出射可能な発光素子４を備える。
【００６７】
また、このＯＰＵ２は、発光素子４に電気を流すことで発光素子４からレーザ光を出射させるレーザ駆動回路部６を備える。
【００６８】
レーザ駆動回路部６から発光素子４に電流が供給され、発光素子４から出射された略０．２〜５００ｍＷ（ミリワット）の波長７６５〜８４０ｎｍ（ナノメータ）の赤外レーザ光により、例えばＣＤ規格の光ディスク１００に情報の記録が行われたり、ＣＤ規格の光ディスク１００に記録された情報が再生されたりする。また、レーザ駆動回路部６から発光素子４に電流が供給され、発光素子４から出射された略０．２〜５００ｍＷの波長６３０〜６８５ｎｍの赤色レーザ光により、ＤＶＤ規格の光ディスク１００に情報の記録が行われたり、ＤＶＤ規格の光ディスク１００に記録された情報が再生されたりする。発光素子４は、例えば波長が約７６５〜８４０ｎｍ、基準とされる波長が略７８０ｎｍの赤外レーザ光を出射できると共に、例えば波長が約６３０〜６８５ｎｍ、基準とされる波長が略６３５ｎｍまたは６５０ｎｍの赤色レーザ光を出射できる二波長レーザダイオードである。発光素子４は、例えば複数種類の波長のレーザ光を出射可能な特殊な半導体レーザダイオード（ＬＤ：ｌａｓｅｒ  ｄｉｏｄｅ）として形成されている。ＬＤ４は、他のＯＰＵに共通して使用可能な例えば規格化されたＬＤ４として構成される。
【００６９】
例えば、波長が約７６５〜８４０ｎｍの赤外レーザ光および／または波長が約６３０〜６８５ｎｍの赤色レーザ光を出射可能な上記二波長ＬＤ４に代えて、波長が約３４０〜４
５０ｎｍ、好ましくは約３８０〜４５０ｎｍ、より好ましくは約４００ｎｍを超え４５０ｎｍ以下の青紫色レーザ光を出射可能なＬＤ４が用いられてもよい。その場合のＬＤ４は、例えば波長が約３４０〜４５０ｎｍ、好ましくは約３８０〜４５０ｎｍ、より好ましくは約４００ｎｍを超え４５０ｎｍ以下、基準とされる波長が略４０５ｎｍの青紫色レーザ光を出射可能な「ＨＤ  ＤＶＤ」用もしくは「ＣＢＨＤ」用または「Ｂｌｕ−ｒａｙ  Ｄｉｓｃ」用ＬＤ４として構成される。この場合、レーザ駆動回路部６から「Ｂｌｕ−ｒａｙ  Ｄｉｓｃ」用または「ＣＢＨＤ」用もしくは「ＨＤ  ＤＶＤ」用のＬＤ４へ電気が流されて、「Ｂｌｕ−ｒａｙ  Ｄｉｓｃ」用または「ＣＢＨＤ」用もしくは「ＨＤ  ＤＶＤ」用ＬＤ４から「Ｂｌｕ−ｒａｙ  Ｄｉｓｃ」系または「ＣＢＨＤ」系もしくは「ＨＤ  ＤＶＤ」系ディスクに対応した波長のレーザ光が出力される。このように、ＬＤ４として単波長ＬＤ４が用いられてもよい。
【００７０】
また、波長が約７６５〜８４０ｎｍの赤外レーザ光および／または波長が約６３０〜６８５ｎｍの赤色レーザ光を出射可能な上記二波長ＬＤ４に代えて、例えば、波長が約７６５〜８４０ｎｍの赤外レーザ光と、波長が約６３０〜６８５ｎｍの赤色レーザ光と、波長が約３４０〜４５０ｎｍの青紫色レーザ光とを出射可能な三波長ＬＤ４が用いられてもよい。このように、ＬＤ４として複数種類の波長のレーザ光を出射可能な特殊ＬＤ４が用いられてもよい。
【００７１】
ＬＤ４から例えば０．２〜５００ｍＷ、具体的には２〜４００ｍＷの出力値の上記波長レーザ光が出射される。例えば０．２ｍＷ未満の出力値のレーザ光とされた場合、光ディスク１００に照射されたのちに反射され不図示の光検出器（ＰＤ：ｐｈｏｔｏ  ｄｅｔｅｃｔｏｒ／ＰＤＩＣ：ｐｈｏｔｏ  ｄｉｏｄｅ  ＩＣ）に届くレーザ光の光量が不足する。光ディスク１００の各データ等を再生させるときには、例えば０．２〜２０ｍＷ好ましくは２〜２０ｍＷ程度という数〜数十ｍＷの出力値のレーザ光で十分とされる。光ディスク１００に各データ等を書き込むときには、数十〜数百ｍＷの出力値のレーザ光が必要とされる。例えば光ディスク１００に高速で各データ等を書き込むときには、４００ｍＷや５００ｍＷ等という高い出力値のパルスレーザ光が必要とされることがある。
【００７２】
レーザ駆動回路部いわゆるレーザドライバは、「ＬＤＤ」等と呼ばれている。「ＬＤＤ」は、「ＬＤ  ｄｒｉｖｅｒ」の略称である。ＬＤＤ６は、ＬＤ４を駆動させてＬＤ４から所定の波長のレーザ光を出射させるレーザ駆動回路を備える。ＬＤＤ６は、他のＯＰＵに共通して使用可能な例えば規格化されたＬＤＤ６として構成される。
【００７３】
また、このＯＰＵ２は、対物レンズ３（図５）を有するレンズホルダ３Ｘを駆動させるフォーカス／チルトコイル（ｆｏｃｕｓ／ｔｉｌｔ  ｃｏｉｌ）およびトラッキングコイル（ｔｒａｃｋｉｎｇ  ｃｏｉｌ）等の各種コイル８（図１）を備える。
【００７４】
詳しく説明すると、このＯＰＵ２（図５）は、対物レンズ３を有するレンズホルダ３Ｘを駆動させるための差動アクチュエータを構成し、略矩形箱状をしたレンズホルダ３Ｘの互いに向かい合う略矩形横長平板状の両側壁の略両端部に前後左右一対ずつ装着され、対物レンズ３を有するレンズホルダ３Ｘを対物レンズ３の光軸方向Ｄｆに略沿って駆動させたり揺動方向Ｄｔに略沿って駆動させたりする第一フォーカス／チルトコイルおよび第一フォーカス／チルトコイルに略並設された第二フォーカス／チルトコイルを備える（何れも図示せず）。なお、対物レンズ（ｏｂｊｅｃｔｉｖｅ  ｌｅｎｓ）は、「ＯＢＬ」と略称される。
【００７５】
また、このＯＰＵ２は、ＯＢＬ３を有するレンズホルダ３Ｘを駆動させるための差動アクチュエータを構成し、略矩形箱状をしたレンズホルダ３Ｘの互いに向かい合う両側壁の略中央部に前後一対装着されて、第一フォーカス／チルトコイルと、第二フォーカス／チ
ルトコイルとの間に略並設され、ＯＢＬ３を有するレンズホルダ３Ｘを光ディスク１００の半径方向Ｄｒに略沿って駆動させるトラッキングコイルを備える（図示せず）。
【００７６】
また、このＯＰＵ２は、ＯＰＵ２を構成する光ピックアップ装置本体２Ｘと、光ディスク装置１（図１）を構成する制御部２０とを通電可能に接続させるフレキシブル基板いわゆるフレキシブル回路体１０（図１，図５）を備える。
【００７７】
上記ＬＤ４（図１）、上記ＬＤＤ６、上記各種コイル８等は、フレキシブルプリント回路体（ＦＰＣ：ｆｌｅｘｉｂｌｅ  ｐｒｉｎｔｅｄ  ｃｉｒｃｕｉｔ）などのフレキシブル回路体１０に通電可能に接続されている。ＦＰＣ１０（図５）は、例えば複数の回路導体部１１，１２，１３が全芳香族系ポリイミド樹脂などの芳香族系耐熱性樹脂製の絶縁シート１５に印刷されて、例えば銅箔などの金属箔が絶縁シート１５に並設され、その上に例えば全芳香族系ポリイミド樹脂などの芳香族系耐熱性樹脂製の透明もしくは半透明の保護層１６が設けられて構成される。ＦＰＣ１０は、例えば可撓性の薄い略帯状をしたシート物として形成される。全芳香族系ポリイミド樹脂などの芳香族系耐熱性樹脂製の絶縁シート１５および／または保護層１６を備えるＦＰＣ１０が用いられることにより、ＦＰＣ１０に対するＬＤ４（図１）、ＬＤＤ６、各種コイル８等の半田付けが良好に行われる。ＦＰＣ１０は、他のＯＰＵに共通して使用可能な例えば規格化されたＦＰＣ１０として構成されている。
【００７８】
このＯＰＵ２は、上記ＬＤ４と、上記ＬＤＤ６と、上記各コイル８と、上記ＦＰＣ１０とを備えて構成されている。
【００７９】
また、この光ディスク装置１は、上記ＯＰＵ２を備える。
【００８０】
また、この光ディスク装置１は、演算等を正確で迅速に行う制御部２０を備える。例えば光ディスク装置１のシステム制御部２０は、演算処理を正確で迅速に実行可能なデジタル・シグナル・プロセッサ（ＤＳＰ：ｄｉｇｉｔａｌ  ｓｉｇｎａｌ  ｐｒｏｃｅｓｓｏｒ）３０を備えるものとされている。ＤＳＰとは、例えば主にデジタル信号処理に特化されたマイクロプロセッサを意味する。この光ディスク装置１は、ＬＤ４から出射される画像記録用のレーザパルス光用信号を制御／調整可能なＤＳＰ３０を有するシステム制御部２０たとえばドライブ・ブロック（ｄｒｉｖｅ  ｂｌｏｃｋ）部２０を備えている。
【００８１】
光ディスク装置１を構成するシステム制御部２０のＤＳＰ３０は、例えばシステム制御用マイクロコンピュータを構成するものとされている。システム制御用マイクロコンピュータは、例えば中央演算装置を意味するシステムコントローラ、マイクロプロセッサ、マイクロコンピュータなどとされ、光ディスク装置１における全般のシステム制御を司る制御部とされる。システム制御部２０のＤＳＰ３０等が備える各機能は、例えば、ソフトウェア（ｓｏｆｔｗａｒｅ）、ファームウェア（ｆｉｒｍｗａｒｅ）等のいわゆるプログラム（ｐｒｏｇｒａｍ）により実現される。
【００８２】
光ディスク装置１のシステム制御部２０には、例えばＤＳＰ３０を構成するデジタル信号処理回路部を含んだチップが装備される。デジタル信号処理回路部を有するＤＳＰ３０が用いられることにより、例えば高速演算処理等が実行可能となる。ＤＳＰ３０が用いられることにより、信号処理が行われるときに、例えばＳＮ（ｓｉｇｎａｌ／ｎｏｉｓｅ）比が略９０ｄＢ（デシベル）以上とされ、ノイズの影響が回避され易くなり、また、周辺の雰囲気温度などによる影響も抑制され易くなる。このようなことから、光ディスク装置１のシステム制御部２０にＤＳＰ３０が用いられることにより、精度の高い演算処理等が高速で行われる。
【００８３】
なお、チップ（ｃｈｉｐ）とは、例えばパッケージ化された半導体集積回路（ＩＣ）を意味する。また、シグナル（ｓｉｇｎａｌ）とは、電気信号などの信号を意味する。また、ノイズ（ｎｏｉｓｅ）とは、電気信号の乱れや雑音などを意味する。また、ＳＮ比とは、信号に対するノイズの量を対数で表したものを意味する。
【００８４】
また、この光ディスク装置１は、ＯＰＵ２のＬＤＤ６に電力を供給させるレーザ出力制御回路部４０を備える。例えば、ＬＤＤ６に通電可能に接続されたレーザ出力制御回路部４０の抵抗が調節されることで、ＬＤＤ６からＬＤ４へ流される電流が調整され、ＬＤ４から適正なパワー（ｐｏｗｅｒ）のレーザ光が出射される。ＬＤＤ６からＬＤ４に電流が供給され、ＬＤ４から出射されたレーザ光により、光ディスク１００に、データ、情報、画像、信号等の記録が行われたり、光ディスク１００に記録されたデータ、情報、信号等が再生されたりされる。レーザ出力制御回路部４０いわゆるパワー制御部４０は、ＬＤ４を駆動させるためのパルス信号を生成してＬＤＤ６に送信させる。また、レーザ出力制御回路部４０は、例えばシステム制御部２０内における各種信号に基づいて制御される。レーザ出力制御回路部４０にて、例えばライトストラテジ（ｗｒｉｔｅ  ｓｔｒａｔｅｇｙ）等のストラテジ（ｓｔｒａｔｅｇｙ）に基づき、ＬＤ４から出射されるレーザ光のパルス幅やパルスレベル等が調整される。
【００８５】
ライトストラテジについて詳しく説明する。ＣＤやＤＶＤ等の各種メディアに対し、情報などのデータが記録されるときに、各種メディアに対応して書込み方法を変化させることが必要とされる。ＣＤやＤＶＤに装備される記録用ドライブは、使用されるメディアの微妙な違いに合わせて、書込み方法を変えることで、より品質の高い書込みを実現させるために、各種のライトストラテジといった書込み方法を備えるものとされている。「ライトストラテジ」とは、ＣＤやＤＶＤ等の各種メディアに対するデータの書込み方法を意味する。ライトストラテジは、通常、ファームウェア内に収録されている。ファームウェアとは、ハードウェア（ｈａｒｄｗａｒｅ）に組み込まれて動作するプログラムを意味する。
【００８６】
例えば光ディスク装置１を構成するシステム制御部２０のＤＳＰ３０等にてＲＦ信号などの高い周波数の信号から同期系のものが検出されてゆくときに、基準クロックにて、周波数Ｆの時間ばらつきが検出される。この時間ばらつきが小さい数値とされているほど、時間ばらつきが少なく、性能が良いものとされている。ＲＦ信号とは、例えば電波と略同じ高い周波数に変換された信号を意味する。また、「ＲＦ」は、「ｒａｄｉｏ  ｆｒｅｑｕｅｎｃｙ」の略称である。また、基準クロックは、例えば基準ＣＬＫと略称されて用いられる。同期系の信号長さについて説明すると、例えば、ＣＤ系列のものでは、３Ｔ〜１１Ｔ、ＤＶＤ系列のものでは、一部３Ｔ〜１１Ｔ、主に３Ｔ〜１４Ｔ、「ＨＤ ＤＶＤ」系列のものでは、２Ｔ〜１１Ｔ、「Ｂｌｕ−ｒａｙ  Ｄｉｓｃ」系列のものでは、２Ｔ〜８Ｔとされている。
【００８７】
また、この光ディスク装置１は、駆動回路部７０にサーボ（ｓｅｒｖｏ）／制御信号を入力させるサーボ制御部５０たとえばサーボ制御回路部５０を備える。
【００８８】
具体的に説明すると、この光ディスク装置１は、処理部にて生成されたフォーカスエラー信号に基づいて、ＯＢＬ３を備えるレンズホルダ３Ｘのフォーカスサーボ動作を実行可能とさせるフォーカスサーボ回路を備える（何れも図示せず）。詳しく説明すると、この光ディスク装置１は、ＯＰＵ２の不図示の光検出器において検出された信号に基づいて処理部で生成されたフォーカスエラー信号が入力されると共に、光ディスクＭの略円板状面部１２０に対して直交する方向とされるＯＢＬ３の光軸方向Ｄｆに略沿って、ＯＰＵ２に装備されたＯＢＬ３を変位させる制御信号を生成するフォーカスサーボ回路を備える。処理部にて生成されたのちに、処理部から出力されたフォーカスエラー信号は、フォーカス
サーボ回路に入力される。フォーカスサーボ回路は、イコライザが用いられて構成されている。フォーカスサーボ回路は、デジタル信号に対応可能な例えばデジタルイコライザとして構成されている。イコライザ（ＥＱ：ｅｑｕａｌｉｚｅｒ）とは、音声信号などの信号の全体的な周波数特性を加工したり調整したりするための電気回路とされる。
【００８９】
また、この光ディスク装置１は、処理部にて生成されたトラッキングエラー信号に基づいて、ＯＢＬ３を備えるレンズホルダ３Ｘのトラッキングサーボ動作を実行可能とさせるトラッキングサーボ回路を備える（何れも図示せず）。詳しく説明すると、この光ディスク装置１は、ＯＰＵ２のＰＤＩＣにおいて検出された信号に基づいて処理部で生成されたトラッキングエラー信号が入力されると共に、光ディスクＭの径方向Ｄｒに略沿って、ＯＰＵ２に装備されたＯＢＬ３を変位させる制御信号を生成するトラッキングサーボ回路を備える。処理部にて生成されたのちに、処理部から出力されたトラッキングエラー信号は、トラッキングサーボ回路に入力される。トラッキングサーボ回路は、イコライザが用いられて構成されている。トラッキングサーボ回路は、デジタル信号に対応可能な例えばデジタルイコライザとして構成されている。
【００９０】
また、この光ディスク装置１は、駆動回路部７０に駆動／制御信号を入力させるスピンドル制御部６０たとえばスピンドル制御回路部６０を備える。スピンドル制御回路部６０は、例えばＷＢＬ検出部から受信されたＷＢＬ信号に基づくウォブリング周波数の情報（何れも図示せず）を用いて、例えばＣＤ規格による線速度一定方式にてスピンドルモータ（ｓｐｉｎｄｌｅ  ｍｏｔｏｒ）８０の回転駆動制御を行うための回路とされている。このような方式は、ＣＬＶ（Ｃｏｎｓｔａｎｔ  Ｌｉｎｅａｒ  Ｖｅｌｏｃｉｔｙ）方式と呼ばれている。また、「ＷＢＬ」は、「Ｗｏｂｂｌｅ」の略称とされ、情報の信号が記録されるトラックの蛇行を意味する。また、例えばスピンドルモータ８０の回転に応じて発生するパルス信号が用いられて、角速度一定方式にてスピンドルモータ８０の回転駆動制御が行われるものも使用可能とされる。このような方式は、ＣＡＶ（Ｃｏｎｓｔａｎｔ  Ａｎｇｕｌａｒ  Ｖｅｌｏｃｉｔｙ）方式と呼ばれている。
【００９１】
また、特殊なＣＬＶ方式として例えばゾーンＣＬＶ方式等が挙げられる。ゾーンＣＬＶ方式とは、光ディスク装置１内に装備された光ディスク１００などを線速度一定で回転させる特殊なＣＬＶ方式の一種とされる。例えばゾーンＣＬＶ方式の対応した光ディスク１００として、光ディスク１００のデータ記録領域に複数のチェックポイントが設けられた光ディスク１００が挙げられる。ゾーンＣＬＶ方式の回動方式が行われるときに、光ディスク１００のデータ記録領域に複数のチェックポイント（図示せず）を設けた光ディスク１００が用いられ、ＯＰＵ２がチェックポイントに達すると回動速度が切り上げられる。
【００９２】
また、特殊なＣＡＶ方式として例えばゾーンＣＡＶ方式等が挙げられる。ゾーンＣＡＶ（ＺＣＡＶ）方式とは、光ディスク装置１内に装備された光ディスク１００などを角速度一定で回転させる特殊なＣＡＶ方式の一種とされる。例えばゾーンＣＡＶ方式の対応した光ディスク１００として、光ディスク１００のデータ記録領域が略同心円状に複数のゾーン（図示せず）に分けられた光ディスク１００が挙げられる。ゾーンＣＡＶ方式の回動方式が行われるときに、光ディスク１００の外周部１０１側のゾーンになるほど記録密度が上げられセクタが増やされる光ディスク１００が用いられて、ゾーンＣＡＶ方式の回動方式が行われる。
【００９３】
また、特殊なＣＡＶ方式として例えばパーシャルＣＡＶ方式等が挙げられる。パーシャルＣＡＶ方式とは、光ディスク１００の略内周側領域にデータ／情報／信号等の記録が行われるときに、ＣＡＶ方式による回動制御が行われ、光ディスク１００の略外周側領域にデータ／情報／信号等の記録が行われるときに、ＣＬＶ方式による回動制御が行われる回動方式のものとされる。
【００９４】
この光ディスク装置１のＤＳＰ３０は、上記パワー制御部４０と、上記サーボ制御部５０と、上記スピンドル制御部６０とを備えて構成されている。
【００９５】
また、この光ディスク装置１は、ＤＳＰ３０から出力された駆動／制御信号が入力され、ＯＰＵ２に装備された各コイル８に駆動／制御信号を供給させたり光ディスク１００を回動させるスピンドルモータ８０に駆動／制御信号を供給させたりする駆動回路部７０いわゆるドライバ（ｄｒｉｖｅｒ）７０を備える。
【００９６】
また、この光ディスク装置１は、ドライバ７０に通電可能に接続され光ディスク１００を回転駆動させるモータ８０いわゆるスピンドルモータ８０を備える。
【００９７】
また、この光ディスク装置１は、例えば二つのものの間で情報等のやり取りを仲介するインタフェース（ｉｎｔｅｒｆａｃｅ）部９０いわゆるＩ／Ｆ部９０を備える。光ディスク装置１は、Ｉ／Ｆ部９０を介してパーソナルコンピュータ（ＰＣ：ｐｅｒｓｏｎａｌ  ｃｏｍｐｕｔｅｒ）などのコンピュータ４００と接続可能なものとされている。コンピュータ４００は、例えばＯＰＵ２の制御方法もしくは光ディスク装置の制御方法等を実行させるための起動指令を与える情報処理装置である。Ｉ／Ｆ部９０は、例えば光ディスク装置１内のエンコーダ／デコーダ（図示せず）に接続され、光ディスク装置１と、ＰＣ等のコンピュータ４００との間における記録／再生データ等の送受信を制御する。
【００９８】
Ｉ／Ｆ部９０は、例えば接続端子（図示せず）等を備えて構成される。Ｉ／Ｆ部９０は、例えばホストコンピュータ４００と光ディスク装置１とがデータの送受信を行うために装備される。Ｉ／Ｆ部９０として、例えば、ＡＴＡＰＩ（ＡＴ  Ａｔｔａｃｈｍｅｎｔ  Ｐａｃｋｅｔ  Ｉｎｔｅｒｆａｃｅ）規格のもの、ＳＣＳＩ（ｓｍａｌｌ  Ｃｏｍｐｕｔｅｒ  Ｓｙｓｔｅｍ  Ｉｎｔｅｒｆａｃｅ）規格のもの、ＩＥＥＥ（Ｉｎｓｔｉｔｕｔｅ
ｏｆ  Ｅｌｅｃｔｒｉｃａｌａｎｄ  Ｅｌｅｃｔｒｏｎｉｃ  Ｅｎｇｉｎｅｅｒｓ）１３９４規格のもの、ＵＳＢ（Ｕｎｉｖｅｒｓａｌ  Ｓｅｒｉａｌ  Ｂｕｓ）規格のもの等が挙げられる。
【００９９】
この光ディスク装置１のシステム制御部２０は、上記ＤＳＰ３０と、上記駆動回路部７０と、上記インタフェース部９０とを備えて構成されている。
【０１００】
また、この光ディスク装置１は、上記ＯＰＵ２と、上記システム制御部２０と、上記モータ８０とを備えて構成されている。
【０１０１】
システム制御部２０を構成するＤＳＰ３０のパワー制御部４０、ＯＰＵ２のＬＤＤ６、ＯＰＵ２のＬＤ４は、例えば略帯状をしたＦＰＣ１０の第一線状／帯状導体部１１により通電可能に接続されている。また、システム制御部２０を構成するＤＳＰ３０のサーボ制御部５０、システム制御部２０の駆動回路部７０、ＯＰＵ２の各コイル８は、例えば略帯状をしたＦＰＣ１０の第二線状導体部１２により通電可能に接続されている。また、システム制御部２０を構成するＤＳＰ３０のスピンドル制御部６０、システム制御部２０の駆動回路部７０、スピンドルモータ８０は、例えば略帯状をしたＦＰＣ１０の第三線状導体部１３により通電可能に接続されている。
【０１０２】
上記ＯＰＵ２および上記ＯＰＵ２を備える上記光ディスク装置１において、光ディスク１００などのメディア１００に画像等が記録されているときに生じる不要輻射を抑制させる。不要輻射とは、例えば電子機器などが出す電磁波や不要な電波等を意味する。不要輻射に関するものとして、例えば、ＥＭＩ（ｅｌｅｃｔｒｏ  ｍａｇｎｅｔｉｃ  ｉｎｔｅｒｆｅｒｅｎｃｅ）や、ＥＭＣ（ｅｌｅｃｔｒｏ−ｍａｇｎｅｔｉｃ  ｃｏｍｐａｔｉｂ
ｉｌｉｔｙ）や、ＥＭＳ（ｅｌｅｃｔｒｏ  ｍａｇｎｅｔｉｃ  ｓｕｓｃｅｐｔｉｂｉｌｉｔｙ／ｅｌｅｃｔｒｏ  ｍａｇｎｅｔｉｃ  ｓｕｓｃｅｐｔａｎｃｅ）等が挙げられる。
【０１０３】
「ＥＭＩ」とは、例えば各素子のスイッチング動作などにより発生する電磁障害、電磁干渉等を意味する。ＥＭＩについて簡単に説明すると、ＥＭＩは、例えば電磁妨害放射規制と呼ばれ、電子機器が他の電子機器への妨害を排除するために、電子機器から漏れる電磁気的雑音（電波）の放射、伝搬を規制するものとされている。また、「ＥＭＣ」とは、例えば電磁両立性や電磁環境両立性等を意味する。ＥＭＣについて簡単に説明すると、例えば機器がその動作によって他のものに妨害を与えず、また、その動作が他のものによって妨害されないときに、ＥＭＣが達成されたものと判断される。また、「ＥＭＳ」とは、例えば電磁感受性等を意味する。ＥＭＳについて簡単に説明すると、例えばノイズを受けても障害を発生させないようにノイズ耐性を向上させることを意味する。
【０１０４】
光ディスク装置１内において、例えば音楽鑑賞用ＣＤが再生されるときの光ディスク１００の通常回転数は、約２００〜５００ｒｐｍとされる。ｒｐｍ（ｒｅｖｏｌｕｔｉｏｎｓ  ｐｅｒ  ｍｉｎｕｔｅ）とは、１分間あたりの回転数すなわち毎分回転数を意味する。例えば、ＣＤは、線速度一定方式すなわちＣＬＶ方式の光ディスクとされているので、光ディスク１００の内周部１０１で音楽鑑賞用ＣＤのデータが再生されるときの光ディスク１００の通常回転数は、約５００ｒｐｍとされている。これに対し、光ディスク１００の外周部１０２で音楽鑑賞用ＣＤのデータが再生されるときの光ディスク１００の通常回転数は、約２００ｒｐｍとされている。
【０１０５】
光ディスク１００の内周部１０１と、光ディスク１００の外周部１０２との間で、音楽鑑賞用ＣＤのデータが再生されるときの光ディスク１００の通常回転数は、光ディスク装置１を構成するシステム制御部２０内のスピンドル制御回路部６０等において回転制御が行われることにより、例えば、５００ｒｐｍ、４００ｒｐｍ、３００ｒｐｍ、２００ｒｐｍというように可変する。
【０１０６】
光ディスク装置１は、通常のディスク回転数に対し、例えば、１倍速、２倍速、４倍速、８倍速、１２倍速、１６倍速、２０倍速、２４倍速、３２倍速、４８倍速、６４倍速等のディスク回転速度で、光ディスク１００にデータ／情報／信号等を記録可能なものとされる。これらの速度は、光ディスク１００の種類などにより異なる。また、光ディスク１００にデータ／情報／信号／画像等を記録させるときの光ディスク１００の回転方式は、例えば、ＣＬＶ方式、ＣＡＶ方式、ゾーンＣＬＶ方式、ゾーンＣＡＶ方式、パーシャルＣＡＶ方式などに基づいて行われる。
【０１０７】
なお、「ＣＤ」系列の光ディスク１００の回転数が１倍速すなわち等倍速のときのデータ転送速度は、略１．２Ｍｂｐｓ（ｍｅｇａ  ｂｉｔ  ｐｅｒ  ｓｅｃｏｎｄ）とされている。また、「ＤＶＤ」系列の光ディスク１００の回転数が１倍速すなわち等倍速のときのデータ転送速度は、略１１．１Ｍｂｐｓとされている。また、「ＨＤ  ＤＶＤ」系列の光ディスク１００の回転数が１倍速すなわち等倍速のときのデータ転送速度は、略３６．５Ｍｂｐｓとされている。また、「Ｂｌｕ−ｒａｙ  Ｄｉｓｃ」系列の光ディスク１００の回転数が１倍速すなわち等倍速のときのデータ転送速度は、略３６Ｍｂｐｓとされている。
【０１０８】
以下に、光ディスク１００（図１）の信号の読出し若しくは光ディスク１００への信号の書込みの何れか一方または両方が実行可能とされたＯＰＵ２の画像形成制御方法、及び、ＯＰＵ２を備える光ディスク装置１の画像形成制御方法について説明する。
【０１０９】
光ディスク１００のレーベル面部１２０に画像等を記録させるときに、ドライブ・ブロック部２０を構成するＤＳＰ３０のレーザ出力制御回路部４０内のストラテジ・ブロック（図示せず）からＦＰＣ１０を経由してＯＰＵ２のＬＤＤ６に例えば高速のＬＤ制御信号を出力させる（図２，図３，図４（Ａ），図４（Ｂ））。そのときに、ＤＳＰ３０（図１）のレーザ出力制御回路部４０内のストラテジ・ブロックから出力される電気信号を例えばスペクトラム拡散させて電気信号の強さを低く調整させておかないと、ＤＳＰ３０、ドライバ７０等を備える基板のＬＳＩと、ＯＰＵ２のＬＤ４とを通電可能に繋ぐＦＰＣ１０の接続区間で不要なノイズが輻射されることがある。
【０１１０】
スペクトラム拡散方式とは、例えば信号を広い周波数帯に拡散させて送信させる等の方式を意味する。具体的に説明すると、スペクトラム拡散方式とは、振幅、周波数、位相変調などによって発生された狭帯域変調信号いわゆる一般的な変調を幅広いスペクトラムに広がりをもたせたり拡散させたりして信号伝送を行う信号方式とされる。拡散された信号は、ノイズレベル以下の微弱なものとなる。
【０１１１】
光ディスク１００のレーベル面部１２０に画像等を記録させるときに、ＤＳＰ３０のレーザ出力制御回路部４０内のストラテジ・ブロックから出力される電気信号を例えばスペクトラム拡散させて電気信号の強さを通常の記録が行われるときの電気信号の強さ（図２，図４（Ａ））よりも低く調整させておけば（図３，図４（Ｂ））、ＤＳＰ３０（図１）、ドライバ７０等を備える基板のＬＳＩと、ＯＰＵ２のＬＤ４とを通電可能に繋ぐＦＰＣ１０の接続区間で不要なノイズが輻射されるということは回避される。
【０１１２】
光ディスク１００に通常のデータを記録させるときには、ドライブ・ブロック部２０のＤＳＰ３０における例えば通常のプログラム／ファームウエアに基づいて、例えば図２の如く、予め定められた記録マーク２００、スペース２１０等のパルス幅等が設定される。
【０１１３】
これに対し、光ディスク１００（図１）のレーベル面部１２０に画像等を記録させるときには、ドライブ・ブロック部２０のＤＳＰ３０における例えば画像記録用のプログラム／ファームウエアに基づいて、例えば図３の如く、記録マーク２５０、スペース２６０等のパルス幅等を変更させ、変更されたパターンのパルス信号を用いて、光ディスク１００のレーベル面部１２０に画像等を記録させる。
【０１１４】
通常のドライブ・ブロック部２０のＤＳＰ３０内におけるプログラム／ファームウエアにおいて、記録マーク２００，２５０、スペース２１０，２６０等のパルス幅等を変更させることは容易に可能とされている。
【０１１５】
通常の光ディスク装置１の制御方法においては、例えば図４（Ａ）の如く、予め決定された固定パターンのパルス信号を用いて、光ディスク１００（図１）に信号等を記録させる。
【０１１６】
これに対し、この光ディスク装置１の画像形成制御方法においては、光ディスク１００のレーベル面部１２０への記録用パルス信号として、例えば図４（Ｂ）の如く、予め決定された通常のデータ記録用のパルス信号とは異なる所定のパルス信号を用いて、光ディスク１００（図１）のレーベル面部１２０に画像等を記録させる。
【０１１７】
図４（Ａ）に示す周波数スペクトラム３００の形状と、図４（Ｂ）に示す周波数スペクトラム３５０の形状とを比較すると、図４（Ｂ）の如く、例えば輻射される周波数の幅は広くなるが、レベルは小さくなっている。図４（Ａ）に示す周波数スペクトラム３００の形状と、図４（Ｂ）に示す周波数スペクトラム３５０の形状とは明らかに異なる。
【０１１８】
以上のように、光ディスク１００（図１）のレーベル面部１２０に絵や文字等の画像を記録させるときに、ＦＰＣ１０のメイン信号導体部１１に不要輻射が甚だしく発生されない程度に光ディスク装置１のＯＰＵ本体２Ｘ内のＬＤ４，ＬＤＤ６に入力させる画像記録用のレーザパルス光用信号を調整させて（図２，図３，図４（Ａ），図４（Ｂ））、光ディスク１００（図１）のレーベル面部１２０に絵や文字等の画像を記録させる。
【０１１９】
このようにＯＰＵ２の画像形成制御方法および／またはＯＰＵ２を備える光ディスク装置１の画像形成制御方法が行われることにより、光ディスク装置１を構成するＯＰＵ２のＦＰＣ１０のメイン信号導体部１１から発せられる不要輻射は、抑制可能となる。光ディスク１００のレーベル面部１２０に絵や文字等の画像を記録させるときに、ＦＰＣ１０のメイン信号導体部１１に不要輻射が甚だしく発生されない程度に、光ディスク装置１を構成するＯＰＵ本体２Ｘ内のＬＤ４，ＬＤＤ６に入力させる画像記録用のレーザパルス光用信号を調整させて、光ディスク１００のレーベル面部１２０に絵や文字等の画像を記録させるので、光ディスク装置１を構成するＯＰＵ２のＦＰＣ１０のメイン信号導体部１１から発せられる不要輻射は、適度に抑制される。
【０１２０】
また、光ディスク１００（図１）のレーベル面部１２０に絵や文字等の画像を記録させるときに、ＦＰＣ１０のメイン信号導体部１１に不要輻射が甚だしく発生されない程度に光ディスク装置１のＯＰＵ本体２Ｘ内のＬＤ４から出射させる画像記録用のレーザパルス光用信号を調整させて（図２，図３，図４（Ａ），図４（Ｂ））、光ディスク１００（図１）のレーベル面部１２０に絵や文字等の画像を記録させる。
【０１２１】
このようにＯＰＵ２の画像形成制御方法および／またはＯＰＵ２を備える光ディスク装置１の画像形成制御方法が行われることにより、光ディスク装置１を構成するＯＰＵ２のＦＰＣ１０のメイン信号導体部１１から発せられる不要輻射は、抑制可能となる。光ディスク１００のレーベル面部１２０に絵や文字等の画像を記録させるときに、ＦＰＣ１０のメイン信号導体部１１に不要輻射が甚だしく発生されない程度に、光ディスク装置１を構成するＯＰＵ本体２Ｘ内のＬＤ４から出射させる画像記録用のレーザパルス光用信号を調整させて、光ディスク１００のレーベル面部１２０に絵や文字等の画像を記録させるので、光ディスク装置１を構成するＯＰＵ２のＦＰＣ１０のメイン信号導体部１１から発せられる不要輻射は、適度に抑制される。
【０１２２】
光ディスク１００（図１）のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＦＰＣ１０のメイン信号導体部１１を通過する画像記録用の単一パルス信号に幅をもたせて拡散させる（図３，図４（Ｂ））。
【０１２３】
これにより、光ディスク装置１を構成するＯＰＵ２のＦＰＣ１０のメイン信号導体部１１から発せられる不要輻射は、低く抑えられる。光ディスク１００のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＦＰＣ１０のメイン信号導体部１１を通過する画像記録用の単一パルス信号に幅をもたせて拡散させるので、光ディスク装置１を構成するＯＰＵ２のＦＰＣ１０のメイン信号導体部１１から発せられる不要輻射は、適度に低く抑制される。
【０１２４】
光ディスク１００（図１）のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＦＰＣ１０のメイン信号導体部１１を通過する画像記録用電気信号をスペクトラム拡散化させる（図４（Ｂ））。
【０１２５】
これにより、光ディスク装置１を構成するＯＰＵ２のＦＰＣ１０のメイン信号導体部１１から発せられる不要輻射は、低く抑えられる。光ディスク１００のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＦＰＣ１０のメイン信号導体部１１を通過する画像記録用電気信号をスペクトラム拡散化させるので、光ディスク装置１を構成するＯＰＵ２のＦＰＣ１０のメイン信号導体部１１から発せられる不要輻射は、適度に低く抑制される。
【０１２６】
光ディスク１００（図１）のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＬＤＤ６に入力させる画像記録用の単一パルス信号に幅をもたせて拡散させる（図３，図４（Ｂ））。
【０１２７】
これにより、光ディスク装置１を構成するＯＰＵ２のＦＰＣ１０のメイン信号導体部１１から発せられる不要輻射は、低く抑えられる。光ディスク１００のレーベル面部１２０に絵や文字等の画像を記録させるときに、光ディスク装置１を構成するドライブ・ブロック部２０内のＤＳＰ３０のレーザ出力制御回路部４０から出力されてＯＰＵ本体２Ｘ内のＬＤＤ６に入力させる画像記録用の単一パルス信号に幅をもたせて拡散させるので、光ディスク装置１を構成するＯＰＵ２のＦＰＣ１０のメイン信号導体部１１から発せられる不要輻射は、適度に低く抑制される。
【０１２８】
光ディスク１００（図１）のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＬＤＤ６に入力させる画像記録用電気信号をスペクトラム拡散化させる（図４（Ｂ））。
【０１２９】
これにより、光ディスク装置１を構成するＯＰＵ２のＦＰＣ１０のメイン信号導体部１１から発せられる不要輻射は、低く抑えられる。光ディスク１００のレーベル面部１２０に絵や文字等の画像を記録させるときに、光ディスク装置１を構成するドライブ・ブロック部２０内のＤＳＰ３０のレーザ出力制御回路部４０から出力されてＯＰＵ本体２Ｘ内のＬＤＤ６に入力させる画像記録用電気信号をスペクトラム拡散化させるので、光ディスク装置１を構成するＯＰＵ２のＦＰＣ１０のメイン信号導体部１１から発せられる不要輻射は、適度に低く抑制される。
【０１３０】
光ディスク１００（図１）のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＬＤＤ６を経由させたのちにＬＤ４に入力させる画像記録用の単一パルス信号に幅をもたせて拡散させる（図３，図４（Ｂ））。
【０１３１】
これにより、光ディスク装置１を構成するＯＰＵ２のＦＰＣ１０のメイン信号導体部１１から発せられる不要輻射は、低く抑えられる。光ディスク１００のレーベル面部１２０に絵や文字等の画像を記録させるときに、光ディスク装置１を構成するドライブ・ブロック部２０内のＤＳＰ３０のレーザ出力制御回路部４０から出力されてＯＰＵ本体２Ｘ内のＬＤＤ６を経由させたのちにＬＤ４に入力させる画像記録用の単一パルス信号に幅をもたせて拡散させるので、光ディスク装置１を構成するＯＰＵ２のＦＰＣ１０のメイン信号導体部１１から発せられる不要輻射は、適度に低く抑制される。
【０１３２】
光ディスク１００（図１）のレーベル面部１２０に絵や文字等の画像を記録させるときに、光ディスク装置１を構成するドライブ・ブロック部２０内のＤＳＰ３０のレーザ出力制御回路部４０から出力されてＯＰＵ２のＬＤＤ６を経由させたのちにＬＤ４に入力させ
る画像記録用電気信号をスペクトラム拡散化させる（図４（Ｂ））。
【０１３３】
これにより、光ディスク装置１を構成するＯＰＵ２のＦＰＣ１０のメイン信号導体部１１から発せられる不要輻射は、低く抑えられる。光ディスク１００のレーベル面部１２０に絵や文字等の画像を記録させるときに、光ディスク装置１を構成するドライブ・ブロック部２０内のＤＳＰ３０のレーザ出力制御回路部４０から出力されてＯＰＵ本体２Ｘ内のＬＤＤ６を経由させたのちにＬＤ４に入力させる画像記録用電気信号をスペクトラム拡散化させるので、光ディスク装置１を構成するＯＰＵ２のＦＰＣ１０のメイン信号導体部１１から発せられる不要輻射は、適度に低く抑制される。
【０１３４】
光ディスク１００（図１）のレーベル面部１２０に絵や文字等の画像を記録させるときに、ＯＰＵ本体２Ｘ内のＬＤ４，ＬＤＤ６に送られるパルス電気信号に幅をもたせて拡散化させてパルス電気信号を例えばスペクトラム拡散化させ、光ディスク装置１のＯＰＵ本体２Ｘ内のＬＤ４から出射させるレーザパルス光用信号の強さを通常の記録が行われるときのレーザパルス光用信号の強さ（図２，図４（Ａ））よりも低く調整させる（図３，図４（Ｂ））。
【０１３５】
これにより、光ディスク装置１を構成するＯＰＵ２のＦＰＣ１０のメイン信号導体部１１から発せられる不要輻射は、低く抑えられる。光ディスク１００のレーベル面部１２０に絵や文字等の画像を記録させるときに、ＯＰＵ本体２Ｘ内のＬＤ４，ＬＤＤ６に送られるパルス電気信号に幅をもたせて拡散化させてパルス電気信号を例えばスペクトラム拡散化させ、光ディスク装置１を構成するＯＰＵ本体２Ｘ内のＬＤ４から出射させるレーザパルス光用信号の強さを通常の記録が行われるときのレーザパルス光用信号の強さよりも低く調整させるので、光ディスク装置１を構成するＯＰＵ２のＦＰＣ１０のメイン信号導体部１１から発せられる不要輻射は、適度に低く抑制される。
【０１３６】
光ディスク１００（図１）のレーベル面部１２０に絵や文字等の画像を記録させるときに、ＯＰＵ本体２Ｘ内のＬＤ４，ＬＤＤ６に送られるパルス電気信号に幅をもたせて拡散化させてパルス電気信号を例えばスペクトラム拡散化させ、光ディスク装置１のＯＰＵ２のＬＤ４から出射させるレーザパルス光用信号の強さを通常の記録が行われるときのレーザパルス光用信号の強さ（図２，図４（Ａ））よりも低く調整させると共に、光ディスク装置１のＯＰＵ２のＬＤ４から出射させるレーザパルス光用信号の出射時間を通常の記録が行われるときのレーザパルス光用信号の出射時間（図２，図４（Ａ））よりも長く調整させる（図３，図４（Ｂ））。
【０１３７】
これにより、光ディスク装置１を構成するＯＰＵ２のＦＰＣ１０のメイン信号導体部１１から発せられる不要輻射が低く抑えられつつ、光ディスク１００のレーベル面部１２０に絵や文字等の画像が記録される。光ディスク１００のレーベル面部１２０に絵や文字等の画像を記録させるときに、ＯＰＵ本体２Ｘ内のＬＤ４，ＬＤＤ６に送られるパルス電気信号に幅をもたせて拡散化させてパルス電気信号を例えばスペクトラム拡散化させ、光ディスク装置１を構成するＯＰＵ本体２Ｘ内のＬＤ４から出射させるレーザパルス光用信号の強さを通常の記録が行われるときのレーザパルス光用信号の強さよりも低く調整させると共に、光ディスク装置１を構成するＯＰＵ本体２Ｘ内のＬＤ４から出射させるレーザパルス光用信号の出射時間を通常の記録が行われるときのレーザパルス光用信号の出射時間よりも長く調整させるので、光ディスク装置１を構成するＯＰＵ２のＦＰＣ１０のメイン信号導体部１１から発せられる不要輻射が適度に低く抑制されると共に、光ディスク１００のレーベル面部１２０に確実に絵や文字等の画像が記録される。
【０１３８】
光ディスク１００（図１）のレーベル面部１２０に画像等が記録されるときに、高い記録精度は要求されていない。そのため、光ディスク１００のレーベル面部１２０に画像等
が記録されるときには、例えば図２および図３の如く、パルス幅の制御が行われていない単一パルスを用いて、光ディスク１００のレーベル面部１２０に画像等を記録させる。例えばレーザ光を出射させるときにＬＤ４，ＬＤＤ６に入力させる信号のパルス幅を周期的に制御させる。このときに、例えば図３および図４（Ｂ）の如く、単一パルスに幅をもたせて例えば拡散させることで、ＦＰＣ１０等に生じる輻射のピーク値を下げることが可能となる。この場合、単一パルスにおけるエネルギを変化させることなく、輻射のピーク値を下げる。このように、スペクトラム拡散方式が用いられることによりＥＭＩ対策効果が発揮される。このように、ＯＰＵ２の画像形成制御方法、及び、ＯＰＵ２を備える光ディスク装置１の画像形成制御方法が行われることにより、ＯＰＵ２のＦＰＣ１０におけるＥＭＩ等の対策が行われる。
【０１３９】
光ディスク１００のレーベル面部１２０に絵、文字等の画像が記録されるときに、例えばストラテジ等が調整されて、例えば従来の単一クロックがクロック変調等されてスペクトラム拡散されたレーザ光がＬＤ４から出射され、スペクトラム拡散されたレーザ光が光ディスク１００のレーベル面部１２０に照射される。
【０１４０】
また、光ディスク１００の信号面部１１０にデータ、情報、信号などが記録されるときに、ＬＤ４から出射されるレーザ光の出力値いわゆるＬＤパワー（ＬＤ  Ｐｏｗｅｒ）が例えば略５０ｍＷとされていた場合、光ディスク１００のレーベル面部１２０に絵、文字等の画像が記録されるときには、例えば信号がクロック変調されていても、ＬＤ４から出射されるレーザ光のＬＤパワーは、同じく略５０ｍＷとされる（図２，図３）。
【０１４１】
このようにスペクトラム拡散されたレーザ光がＬＤ４から出射されることにより、例えばＯＰＵ２のＦＰＣ１０等におけるＥＭＩレベルが改善される。クロック変調されていない電気信号がＦＰＣ１０を介してＬＤＤ６に流されたのちにＬＤ４に流されてＬＤ４から略５０ｍＷのレーザ光が出射されるときに、ＯＰＵ２のＦＰＣ１０等におけるＥＭＩレベルは、例えば略５６ｄＢとされる。これに対し、クロック変調された電気信号がＦＰＣ１０を介してＬＤＤ６に流されたのちにＬＤ４に流されてＬＤ４から同じく略５０ｍＷのレーザ光が出射されるときに、ＯＰＵ２のＦＰＣ１０におけるＥＭＩレベルは、例えば略５０ｄＢとされる。従って、ＯＰＵ２のＦＰＣ１０等におけるＥＭＩレベルが改善される（例：図４）。ＬＤパワーは、略一定の状態とされつつ、ストラテジ等が調整されてクロックが可変されることにより、不要輻射のピーク値が下げられる。
【０１４２】
光ディスク１００のレーベル面部１２０に絵や文字等の画像が記録されるときに、例えば、従来方式、スペクトラム拡散方式とも共に、ＬＤ４から出射されるレーザ光の出力値いわゆるＬＤパワーは略変更されず、光ディスク１００の回転数は、例えば上記光ディスク１００の通常回転数と略同じ回転数、好ましくは上記光ディスク１００の通常回転数の略１〜１２倍速程度の回転数とされる。
【０１４３】
詳しく説明すると、光ディスク１００のレーベル面部１２０に絵や文字等の画像が記録されるときに、光路効率などにより、ＬＤ４から例えば０．２〜３００ｍＷ、好ましくは２〜２００ｍＷの出力値の上記波長レーザ光が出射される。例えば０．２ｍＷ未満の出力値のレーザ光とされた場合、光ディスク１００のレーベル面部１２０に絵や文字等の画像を記録させるときのレーザ光の光量が不足する。光ディスク１００のレーベル面部１２０に絵や文字等の画像が記録されるときには、例えば２ｍＷ以上２００ｍＷ以下、具体的には５ｍＷ以上１５０ｍＷ以下、より具体的には２０ｍＷを超え１００ｍＷ以下の出力値のレーザ光で十分とされる。光ディスク１００のレーベル面部１２０に絵や文字等の画像が記録されるときに、例えば３００ｍＷを超えて４００ｍＷや５００ｍＷ等という高い出力値のパルスレーザ光が用いられた場合、例えば書込み可能な光ディスク１００の信号層１１０のピット等に悪影響が及ぼされることが懸念される。
【０１４４】
また、光ディスク１００のレーベル面部１２０全体に絵や文字等の画像が記録されるときに、例えば、上記ＣＬＶ方式、上記ＣＡＶ方式、上記ゾーンＣＬＶ方式、上記ゾーンＣＡＶ方式、上記パーシャルＣＡＶ方式、若しくはこれらの方式に準ずる方式、又は他の方式などに基づき、例えば上記回転数にて、光ディスク１００のレーベル面部１２０全体に絵や文字等の画像が記録される。例えば平面視された光ディスク１００のレーベル面部１２０全体が細長い略扇状の各区分に分けられた状態で光ディスク１００のレーベル面部１２０全体に絵や文字等の画像が描かれる。
【０１４５】
また、光ディスク１００のレーベル面部１２０全体に絵や文字等の画像が記録されるときに、例えば略１０分を超え９０分以内の時間、好ましくは略２０分を超え７５分以内の時間、より好ましくは略３０分を超え６０分以内の時間が必要とされる。例えば１０分以内の短時間で光ディスク１００のレーベル面部１２０全体に絵や文字等の画像が記録される場合、クロック変調された電気信号がＦＰＣ１０を介してＬＤ４，ＬＤＤ６に流されても、ＦＰＣ１０に流される電流値／電圧値が大きい値となること等から、光ディスク装置１を構成するＯＰＵ２のＦＰＣ１０のメイン信号導体部１１から発せられる不要輻射が適度に低く抑制され難くなり、光ディスク１００のレーベル面部１２０全体に精度よく確実に絵や文字等の画像が記録され難くなることが懸念される。また、例えば９０分を超える長時間にわたって光ディスク１００のレーベル面部１２０全体に絵や文字等の画像が記録される場合、光ディスク１００のレーベル面部１２０全体に記録される絵や文字等の画像の精度は略確保されるものの、レーベル面部１２０全体に絵や文字等の画像を記録させる工程の時間が長くなり過ぎ、効率的でない。
【０１４６】
この光ディスク装置１（図１）は、ＬＤ４から出射される画像記録用のレーザパルス光用信号を制御／調整可能なＤＳＰ３０を有する制御部２０いわゆるドライブ・ブロック部２０を備えている。ドライブ・ブロック部２０のＤＳＰ３０にて、レーザパルス光用信号の信号レベル（図３，図４（Ｂ））が通常の記録が行われるときのレーザパルス光用信号の信号レベル（図２，図４（Ａ））よりも低く調整される。例えば光ディスク装置１のドライブ・ブロック部２０のＤＳＰ３０にて、ＯＰＵ本体２Ｘ内のＬＤ４，ＬＤＤ６に送られるパルス電気信号に幅をもたせて拡散化させパルス電気信号をスペクトラム拡散化させる。そののちに、低く調整された信号レベルのレーザパルス光用信号（図３，図４（Ｂ））が、ドライブ・ブロック部２０（図１）のＤＳＰ３０からＯＰＵ本体２Ｘ内のＬＤＤ６を介したのちにＬＤ４に送られて、上記ＯＰＵ２を備える光ディスク装置１の画像形成制御方法が実行される。
【０１４７】
上記ＯＰＵ２を備える光ディスク装置１の画像形成制御方法を実行可能な光ディスク装置１が構成されることにより、ＯＰＵ２のＦＰＣ１０のメイン信号導体部１１から発せられる不要輻射を抑制可能な光ディスク装置１の提供が可能となる。光ディスク１００のレーベル面部１２０に絵や文字等の画像が記録されるときに、ＬＤ４から出射させる画像記録用のレーザパルス光用信号を制御／調整可能なドライブ・ブロック部２０のＤＳＰ３０にて、レーザパルス光用信号の信号レベル（図３，図４（Ｂ））が通常の記録が行われるときのレーザパルス光用信号の信号レベル（図２，図４（Ａ））よりも低く調整され、そののちに、ドライブ・ブロック部２０（図１）のＤＳＰ３０から通常の記録が行われるときのレーザパルス光用信号の信号レベル（図２，図４（Ａ））よりも低く調整された信号レベルのスペクトラム拡散化レーザパルス光用信号（図３，図４（Ｂ））が、ＯＰＵ本体２Ｘ（図１）内のＬＤＤ６を介したのちにＬＤ４に送られて、光ディスク１００のレーベル面部１２０に絵や文字等の画像が記録されるので、光ディスク装置１を構成するＯＰＵ２のＦＰＣ１０のメイン信号導体部１１から発せられる不要輻射は、適度に抑制可能となる。
【０１４８】
ＬＤ４からレーザ光を出射させるための光ディスク装置１のパルス幅制御回路部においては、光ディスク１００に対するデータ記録用としてライトストラテジ等がプログラムされたドライブ・ブロック部２０を備えるため、光ディスク１００のレーベル面部１２０に画像を形成させるときに、パルス幅の制御も容易に実行可能とされる。
【０１４９】
また、光ディスク１００のレーベル面部１２０に画像等が記録されるときには、高い記録精度が要求されていないため、新たにパルス幅制御回路（図示せず）を装備させることなく、これまでのライトストラテジがプログラムされたファームウエアに若干の変更を加えることで、上記ＯＰＵ２の画像形成制御方法、及び、ＯＰＵ２を備える光ディスク装置１の画像形成制御方法に対応させることができる。
【０１５０】
ＬＤ４（図１）から出射させる画像記録用のレーザパルス光用信号を制御／調整可能なＤＳＰ３０を有するドライブ・ブロック部２０を備えた光ディスク装置１を用いて、先ず、ドライブ・ブロック部２０のＤＳＰ３０にて、レーザパルス光用信号の信号レベル（図３，図４（Ｂ））を通常の記録が行われるときのレーザパルス光用信号の信号レベル（図２，図４（Ａ））よりも低く調整させる。例えば光ディスク装置１のドライブ・ブロック部２０のＤＳＰ３０にて、ＯＰＵ本体２Ｘ内のＬＤ４，ＬＤＤ６に送られるパルス電気信号に幅をもたせて拡散化させパルス電気信号をスペクトラム拡散化させる。次に、低く調整させた信号レベルのレーザパルス光用信号（図３，図４（Ｂ））をドライブ・ブロック部２０（図１）のＤＳＰ３０からＯＰＵ本体２Ｘ内のＬＤＤ６を経由させたのちにＬＤ４に送らせて、上記ＯＰＵ２を備える光ディスク装置１の画像形成制御方法を実行させる。
【０１５１】
これにより、光ディスク装置１を構成するＯＰＵ２のＦＰＣ１０のメイン信号導体部１１から発せられる不要輻射は、抑制可能となる。光ディスク１００のレーベル面部１２０に絵や文字等の画像を記録させるときに、ＬＤ４から出射させる画像記録用のレーザパルス光用信号を制御／調整可能なＤＳＰ３０を有するドライブ・ブロック部２０を備えた光ディスク装置１を用いて、先ず、ドライブ・ブロック部２０のＤＳＰ３０にて、レーザパルス光用信号の信号レベル（図３，図４（Ｂ））を通常の記録が行われるときのレーザパルス光用信号の信号レベル（図２，図４（Ａ））よりも低く調整させ、次に、通常の記録が行われるときのレーザパルス光用信号の信号レベル（図２，図４（Ａ））よりも信号レベルを低く調整させたスペクトラム拡散化レーザパルス光用信号（図３，図４（Ｂ））をドライブ・ブロック部２０（図１）のＤＳＰ３０からＯＰＵ本体２Ｘ内のＬＤＤ６を経由させたのちにＬＤ４に送らせて、光ディスク１００のレーベル面部１２０に絵や文字等の画像を記録させるので、光ディスク装置１を構成するＯＰＵ２のＦＰＣ１０のメイン信号導体部１１から発せられる不要輻射は、適度に抑制可能となる。
【０１５２】
上記ＯＰＵ２および上記ＯＰＵ２を備える光ディスク装置１は、上記各種光ディスク１００にデータ／情報／信号／画像等を記録させたり、上記各種光ディスク１００のデータ／情報／信号等を再生させたりする記録・再生装置に使用可能とされる。また、上記ＯＰＵ２および上記ＯＰＵ２を備える光ディスク装置１は、上記各種光ディスク１００のデータ／情報／信号等を再生させる再生専用装置にも使用可能とされる。
【０１５３】
また上記ＯＰＵ２は、例えば、コンピュータ、音響／映像機器、ゲーム機、車載機（何れも図示せず）などに組み付けられる光ディスク装置１に装備される。また、上記ＯＰＵ２を備える光ディスク装置１は、例えば、ノート型ＰＣや、ラップトップ型ＰＣや、デスクトップ型ＰＣや、車載用コンピュータなどのコンピュータや、コンピュータゲーム機などのゲーム機や、ＣＤプレーヤ／ＣＤレコーダ、ＤＶＤプレーヤ／ＤＶＤレコーダなどの音響および／または映像機器などに装備可能とされる（何れも図示せず）。また、上記ＯＰＵ２を備える光ディスク装置１は、例えば、「ＣＤ」系光ディスク、「ＤＶＤ」系光ディスク、「ＨＤ  ＤＶＤ」系光ディスク、「ＣＢＨＤ」系光ディスク、「Ｂｌｕ−ｒａｙ
Ｄｉｓｃ」系光ディスク等の複数のメディア１００に対応可能なものとされる。ＯＰＵ２を備える光ディスク装置１は、「ＣＤ」、「ＤＶＤ」、「ＨＤ−ＤＶＤ」、「ＣＢＨＤ」、「Ｂｌｕ  ｒａｙ  Ｄｉｓｃ」などの各種光ディスク１００に対応したコンピュータ、音響および／または映像機器、ゲーム機、車載機などに装備可能とされている（何れも図示せず）。
【０１５４】
以上、本発明の実施形態について説明したが、前述した発明の実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１５５】
例えば、図２および図３の縦軸方向が例えば信号の電圧値または電流値とされ、図２および図３の横軸方向が例えば時間とされたものに適用されてもよい。また、図４（Ａ）および図４（Ｂ）の縦軸方向が例えば信号の電圧値または電流値とされ、図４（Ａ）および図４（Ｂ）の横軸方向が例えば信号の周波数とされたものに適用されてもよい。
【産業上の利用可能性】
【０１５６】
例えば、「ＣＤ」、「ＤＶＤ」、「ＨＤ  ＤＶＤ」、「ＣＢＨＤ」、「Ｂｌｕ−ｒａｙ
Ｄｉｓｃ」等として挙げられる各種光ディスク等の各種メディアに、画像等を記録可能なピックアップ装置の制御方法ならびにディスク装置およびその制御方法に適用可能とされるものである。
【符号の説明】
【０１５７】
１              光ディスク装置（ディスク装置）
２              ＯＰＵ（ピックアップ装置）
２Ｘ            ＯＰＵ本体（ピックアップ装置本体）
３              ＯＢＬ（対物レンズ）
３Ｘ            レンズホルダ（ホルダ）
４              ＬＤ（発光素子）
６              ＬＤＤ（レーザ駆動回路部）
８              各種コイル（コイル）
１０            ＦＰＣ（回路体）
１１            メイン信号導体部（導体部）
１２，１３      回路導体部（導体部）
１５            絶縁シート
１６            保護層（保護膜）
２０            ドライブ・ブロック部（制御部）
３０            ＤＳＰ（デジタル・シグナル・プロセッサ）
４０            レーザ出力制御回路部（パワー制御部）
５０            サーボ制御回路部（サーボ制御部）
６０            スピンドル制御回路部（スピンドル制御部）
７０            ドライバ（駆動回路部）
８０            スピンドルモータ（モータ）
９０            Ｉ／Ｆ部（インタフェース部）
１００          光ディスク（メディア）
１０１          内周部
１０２          外周部
１１０          信号層（信号面部）
１２０          レーベル面部（面部）
１５０          保護層
２００，２５０  記録マーク（マーク）
２１０，２６０  スペース
３００，３５０  周波数スペクトラム（スペクトラム）
４００          ホストコンピュータ（コンピュータ）
【図１】
2009259381.tif 000003
【図２】
2009259381.tif 000004
【図３】
2009259381.tif 000005
【図４】
2009259381.tif 000006
【図５】
2009259381.tif 000007